(57)【要約】【課題】水が溜まった水受け部を、特に高齢者や子供が誤ったり、間違ってあるいは子供のいたずらで触れてたとしても外れ無いようにする。【解決手段】扉２３の下方に着脱可能な水受け部３５を設け、水受け部３５に加熱調理器２１へ係合させる係合部を少なくとも２種類設けるとともに、その少なくとも一方の係合部である係合操作レバー３８は、水受け部３５側に操作部を、底板３４側に係合突起部３９を設けて、前記係合突起部３９を底板３４の係合穴４０に係合させて、水滴受け部３５を加熱調理器２１から外す意図が無い時は、簡単に外れることが無い構成にしている。【選択図】図３
2007285597.tif 000002
【特許請求の範囲】
【請求項１】
加熱室を有する調理器本体と、前記調理器本体の加熱室前面を開閉する扉と、前記加熱室内に収容した被加熱物を加熱する加熱手段と、前記調理器本体に着脱自在に係合されて当該当調理器本体から発生した水を受ける水受け部とを備え、前記水受け部は前記調理器本体へ係合させる係合部を少なくとも２種類設けるとともに、その少なくとも一方の係合部は人為操作のみで外すことが可能なロック式構造とした加熱調理器。
【請求項２】
加熱手段として高周波を供給する高周波発生手段と蒸気を発生する蒸気発生手段を備えるとともに、水受け部は扉下方に配置して調理器本体の前面から着脱自在とした請求項１に記載の加熱調理器。
【請求項３】
人為操作のみで外すことが可能なロック式構造の係合部の操作部を、水受け部の前面に設けたことを特徴とした請求項１または２に記載の加熱調理器。
【請求項４】
人為操作のみで外すことが可能なロック式構造の係合部の操作部は、水受け部の外装面より内側に設けた請求項１または２に記載の加熱調理器。
【請求項５】
人為操作のみで外すことが可能なロック式構造の係合部の操作部は、水受け部の外装部とは異なる色調とした請求項１〜３のいずれか１項に記載の加熱調理器。
【請求項６】
人為操作のみで外すことが可能なロック式構造の係合部の操作部は、下方に押した時にロックが解除される構造とした請求項１〜３のいずれか１項に記載の加熱調理器。
【発明の詳細な説明】
【技術分野】
【０００１】
本発明は、加熱調理によって被加熱物から出る水蒸気、あるいは蒸気発生手段により発生した水蒸気が、結露して加熱室外に漏れ出る水滴を受ける水受け部の係合構成に関するものである。
【背景技術】
【０００２】
従来の加熱調理器は、高周波加熱に加え、水蒸気発生手段によって、高温水蒸気を発生させてこの高温水蒸気で被加熱物を加熱するため、加熱調理によって被加熱物から出る水蒸気、あるいは蒸気発生手段により発生した水蒸気が、結露して加熱室外に漏れ出る水滴を受ける水受け部を備えており、便利性を持たせこの水受け部を着脱できるようになっている（例えば、特許文献１参照）。
【０００３】
図４、図５は特許文献１に記載された従来の加熱調理器を示すものである。
【０００４】
図４は従来例の加熱調理器の外観斜視図、図５は同加熱調理器の一部断面を含む側面図である。
【０００５】
図４、図５に示すように、加熱調理器本体１の内部には加熱室２があり、加熱室２の前面には開閉可能な扉３が設けられている。加熱室２の下方には、加熱調理器１の底面を構成する底板４が設けられている。底板４前側で扉３の下方の空間には、加熱調理によって被加熱物から発生した水蒸気、あるいは蒸気発生手段５により発生した水蒸気が、結露して加熱室２外に漏れ出る水滴を受ける水受け部６がある。水受け部６の後方には、凹状の取付け部７が形成されていて、底板４の張出し部８に装着、取り外しできるように構成されている。
【特許文献１】特開２００５−１２７６２２号公報
【発明の開示】
【発明が解決しようとする課題】
【０００６】
しかしながら、従来の構成では、特に蒸気発生手段を用いて加熱調理を行なった時、加熱調理後加熱室外に漏れ出る水滴量は多くなっている。そこで、水の溜まった水受け部を加熱調理器からある程度外れ易くしていた。このため、特に高齢者や子供が誤ったり、間違って水受け部に触り、加熱調理器から水受け部が外れ、溜めてあった水が零れる恐れがあるという課題があった。
【０００７】
本発明は前記従来の課題を解決するもので、特に高齢者や子供が誤ったり間違って、あるいは子供のいたずらで水受け部に触れてもこれが外れ無いようにすることを目的とする。
【課題を解決するための手段】
【０００８】
前記従来の課題を解決するため、加熱室から発生した水滴を受ける水受け部は前記調理器本体へ係合させる係合部を少なくとも２種類設けるとともに、その少なくとも一方の係合部は人為操作のみで外すことが可能なロック式構造として、使用者が水受け部を加熱調理器から外す意図が無ければ、水受け部は簡単に外れないようにしたものである。
【発明の効果】
【０００９】
本発明の加熱調理器は、使用者が水受け部を加熱調理器から外す意図が無ければ、水受け部は簡単に外れることが無いという効果を有している。これによって、特に高齢者、子
供が水受け部を加熱調理器から外す意図を持たずに誤ったり間違って、あるいは子供のいたずらで水受け部に触っても、水受け部が簡単に外れることをなくすることができる。
【発明を実施するための最良の形態】
【００１０】
第１の発明は、加熱室を有する調理器本体と、前記調理器本体の加熱室前面を開閉する扉と、前記加熱室内に収容した被加熱物を加熱する加熱手段と、前記調理器本体に着脱自在に係合されて当該当調理器本体から発生した水を受ける水受け部とを備え、前記水受け部は前記調理器本体へ係合させる係合部を少なくとも２種類設けるとともに、その少なくとも一方の係合部は人為操作のみで外すことが可能なロック式構造としたことにより、水受け部を加熱調理器から外す意図が無ければ、水受け部を簡単に外れることが無いという効果を有し、これによって、特に高齢者、子供が水受け部を加熱調理器から外す意図を持たずに誤ったり間違って、あるいは子供のいたずらで触っても、水受け部は簡単に外れることが無い。
【００１１】
第２の発明は、加熱手段として高周波を供給する高周波発生手段と蒸気を発生する蒸気発生手段を備えるとともに、水受け部は扉下方に配置して調理器本体の前面から着脱自在としたことより、高周波と上記を使った千代売りができる上に、調理器の前面で、水受け部を目視しながらこれを着脱することができ、調理器本体に容易に確実に装着、取り外しできる。
【００１２】
第３の発明は、人為操作のみで外すことが可能なロック式構造の係合部の操作部を、水受け部の前面に設けたことにより、調理器の前面で、係合部のロック操作を目視しながらできることで、水受け部を調理器本体に確実にロックすることができる。
【００１３】
第４の発明は、人為操作のみで外すことが可能なロック式構造の係合部の操作部は、水受け部の外装面より内側に設けたことより、ロック式構造の係合部の操作部には触れ難くできるため、特に高齢者、子供が誤ったり、間違って前記操作部に触わる確率を少なくできる。
【００１４】
第５の発明は、人為操作のみで外すことが可能なロック式構造の係合部の操作部と、水受け部の外装部は異なる色調としたことにより、特に高齢者、子供への視認性を良くでき、注意を喚起できるため、前記操作部に触わる確率を少なくできる。
【００１５】
第６の発明は、人為操作のみで外すことが可能なロック式構造の係合部の操作部を、下方に押した時にロックが解除されることにより、押し易く、比較的弱い押し圧力でロックが解除できるため、指への負担を軽減できる。
【００１６】
以下、本発明の実施の形態について、図面を参照にしながら説明する。なお、この実施の形態によって本発明が限定されるものではない。
【００１７】
（実施の形態１）
図１は本発明の第１の実施の形態における加熱調理器の外観斜視図、図２は同加熱調理器の断面図、図３は同加熱調理器の要部断面図である。
【００１８】
図１、図２、図３において、加熱調理器本体２１の内部には加熱室２２があり、加熱室２２の前面には開閉自在に設けた扉２３がある。扉２３の外面下方には加熱出力、加熱時間等を設定、操作するための操作部２４がある。扉２３は、電波をシールする電波減衰部を備えた金属製の構造体２５、金属製の構造体２５を覆う樹脂製の外装部２６、電波をシールする電波減衰部を覆う樹脂製の内装部２７、加熱室２２内を見るためのガラス製のスクリーンＡ２８とスクリーンＢ２９から構成されている。加熱室２２の下側には高周波を
発生するマグネトロン（図示せず）が結合されている。加熱室２２の上面には平面ヒータ３０が、加熱室２２の後面には循環ファンヒータ３１が設けられている。加熱室２２の内側後方には蒸気を発生する蒸気発生手段３２が設けられていて、加熱室２２の前側下方には蒸気発生手段３２に水を供給するための水タンク３３が着脱自在に設けられている。加熱室２２の下方には下側の外装を構成する底板３４がある。
【００１９】
扉２３の下方には水受け部３５が設けられている。底板３４には加熱調理器本体２１を支える支柱３６が取付けられていて、水受け部３５は水受け部３５に設けられたツメ部３７のたわみを利用した嵌合力で、加熱調理器本体２１に着脱自在にして取付けられている。水受け部３５は、加熱調理器２１に着脱自在にする構成としているため、装着・取り外しが容易なように、嵌合力を水受け部３５のツメ部３７の肉厚及び支柱３６の径で調整することで、最適な嵌合力にすることができるようにしている。水受け部３５の前方中央にある水タンク３３の右には、水受け部３５を加熱調理器２１から、人為操作のみで外すことが可能なロック式構造の係合操作レバー３８が備わっている。
【００２０】
前記係合操作レバー３８は、水受け部３５の外装面より段を落とした位置に操作面を持ち、水受け部３５の外装面とは異なる色調をしている。前記係合操作レバー３８を手で下方に押すと、係合操作レバー３８の先端にある係合突起部３９が下がり、底板３４に設けてある係合穴４０から外れてロックが解除できて、水受け部３５が加熱調理器２１から外せるようになる。前記係合操作レバー３８から手を離すと上方に加勢する係合動作バネ４１で、係合操作レバー３８を上方に押し戻す。この作用によって、係合操作レバー３８の先端にある係合突起部３９が上方に押し戻されて、底板３４に設けられた係合穴４０に引掛り、水受け部３５は加熱調理器２１から外せなくなる。
【００２１】
次に、加熱室２２内で、被加熱物を加熱した際に発生する水蒸気、あるいは蒸気発生手段３２で発生させた水蒸気が、扉２３に結露した水滴が水受け部３５に入る動きと係合部の動きについて図面を用いて説明する。
【００２２】
前述した図２において、扉２３の加熱室２２側には、被加熱物の加熱状況を確認するためのガラス製のスクリーンＡ２８があり、その右側にはスクリーン２８の保持と高周波加熱源であるマグネトロン（図示せず）から照射された電波をシールする電波減衰部を備えた金属製の構造体２５が設けられている。スクリーンＡ２８の下方には、電波をシールする電波減衰部を覆う樹脂製の内装部２７がある。加熱室２２内の被加熱物が加熱されることにより発生する水蒸気、あるいは蒸気発生手段３２で発生させた水蒸気は、加熱室２２内の壁面に結露するとともに扉２３の内側であるスクリーンＡ２８にも結露する。このスクリーンＡ２８に結露した結露水が成長すると、水滴の自重で滴下を始め、図３に示すようにスクリーンＡ２８の下方にある電波をシールする電波減衰部を覆う樹脂製の内装部２７に伝わって行き、前記内枠部２７の下側で離れて垂直に滴下し、水受け部３５に受けられて溜まる。
【００２３】
使用者が水受け部３５に溜まった結露水を捨てる時は、加熱調理器２１との係合関係を解除するため、水受け部３５に備わっている係合操作レバー３８を手で下方に押すと、係合操作レバー３８の先端にある係合突起部３９が下がり、底板３４に設けてある係合穴４０から外れてロックが解除できて、水受け部３５が加熱調理器２１から外せるようになる。水受け部３５を外して溜まった水を捨てる。水受け部３５を加熱調理器２１に装着する時は、係合操作レバー３８を下方に押して、係合操作レバー３８の先端にある係合突起部３９を一旦下げてから、底板３４設けられた支柱３６に、水受け部３５側に設けてあるツメ部３７を合わせながら押して、装着する。装着が完了したら、係合操作レバー３８から手を離すと、上方に加勢する係合動作バネ４１で、係合操作レバー３８の先端にある係合突起部３９が、底板３４に設けてある係合穴４０と噛合ってロックが係り、水受け部３５
は加熱調理器２１から外せなくなる。
【産業上の利用可能性】
【００２４】
以上のように、本発明にかかる加熱調理器は、使用者が水受け部を加熱調理器から外す意図が無ければ、水受け部は簡単に外れないようになり、水の後処理が必要な構造を持つ調理器等に適用できる。
【図面の簡単な説明】
【００２５】
【図１】本発明の実施の形態１における加熱調理器の外観斜視図
【図２】同加熱調理器の断面図
【図３】同加熱調理器の要部断面図
【図４】従来例の加熱調理器の外観斜視図
【図５】同加熱調理器の一部断面を含む側面図
【符号の説明】
【００２６】
２１  加熱室
３４  底板
３５  水受け部
３６  支柱
３７  ツメ部
３８  係合操作レバー
３９  係合突起部
４０  係合穴
４１  係合動作バネ
【図１】
2007285597.tif 000003
【図２】
2007285597.tif 000004
【図３】
2007285597.tif 000005
【図４】
2007285597.tif 000006
【図５】
2007285597.tif 000007